(57)【特許請求の範囲】
【請求項１】
基板上において、複数のＬＥＤ光源が、前記基板の長手方向に沿って略等間隔で直線状に配列されるＬＥＤユニットと、
複数の前記ＬＥＤユニットを、前記基板の長手方向に沿って直線状に取付可能な基板固定台と、
前記複数のＬＥＤユニットを電気的に接続する電源送り線と、を有し、
隣接する２つの前記ＬＥＤユニットの各々における前記基板の連結側端部に、前記電源送り線が前記基板の表裏方向に移動可能な切欠が設けられ、
前記基板固定台の前記基板側の面に、前記切欠に連続して前記電源送り線を配線する凹部が、前記基板固定台の長手方向に沿って設けられ、
隣接する２つの前記ＬＥＤユニットの各々において、最も前記連結側端部の近くに位置するＬＥＤ光源よりも前記基板の中央に近い位置に、前記ＬＥＤユニットに電気的に接続される第１のソケットが配置され、
前記電源送り線の端部には第２のソケットが接続され、
前記第１のソケットと前記第２のソケットとが接続され、
隣接する２つの前記ＬＥＤユニットのいずれか一方の前記第２のソケットから伸びる前記電源送り線が、前記最も前記連結側端部の近くに位置するＬＥＤ光源を避けて前記切欠に至り、前記切欠を貫通し、前記基板固定台の前記凹部を経由していずれか他方のＬＥＤユニットにおける前記第２のソケットに達し、
かつ、隣接する２つの前記ＬＥＤユニットの各々における、最も前記連結側端部の近くに位置するＬＥＤ光源の間隔は、各ＬＥＤユニットにおける複数のＬＥＤ光源における間隔と略同じである照明器具。
【請求項２】
請求項１に記載の照明器具において、
前記切欠が前記基板の幅方向両端縁に設けられ、
前記凹部が前記基板の幅方向両端縁の内側に沿って一対設けられた照明器具。
【請求項３】
請求項１に記載の照明器具において、
前記切欠が前記基板の幅方向中央部に設けられ、
前記凹部が前記基板の幅方向中央部に沿って設けられた照明器具。
【発明の詳細な説明】
【技術分野】
【０００１】
本発明は、例えば天井や壁等の取付面に、ＬＥＤパッケージを直線状に取り付けるＬＥＤ照明器具に関する。
【背景技術】
【０００２】
従来より、ＬＥＤパッケージを直線状に配列した照明器具が知られている（例えば、特許文献１参照）。
特許文献１に記載のＬＥＤ照明器具では、ＬＥＤパッケージを放熱板に取り付け、ＬＥＤパッケージに電力を供給する回路が形成された電源供給用基板を、放熱板からずらして設ける。そして、ＬＥＤパッケージを電源供給用基板の回路と接続する。
これにより、放熱板には電源供給用の回路が不要となるので、ＬＥＤパッケージを直接放熱板に取り付けることができ、放熱性能の向上を図っている。
【先行技術文献】
【特許文献】
【０００３】
【特許文献１】特開２００７−３０５４３５号公報（段落０００７）
【発明の概要】
【発明が解決しようとする課題】
【０００４】
ところで、ＬＥＤパッケージが直線状に所定間隔で設けられている照明器具を長手方向に連結して、長い距離略等間隔でＬＥＤパッケージを配置する場合がある。このとき、隣接する照明器具の電源供給回路同士を接続する際に、コネクタ付きの電源送り線で接続する場合がある。
しかしながら、隣接する照明器具において、電源送り線のコネクタを受ける受けコネクタの外側（すなわち端部側）にＬＥＤパッケージが設けられている場合には、電源送り線が基板から浮いて配線されていると、電源送り線で光が遮断されるおそれがある。あるいは、電源送り線の影が映って，外観を損ねる場合がある。
【０００５】
本発明は、従来の問題を解決するためになされたもので、ＬＥＤユニット同士を電源送り線で接続する際に、電源送り線が光を遮断したり電源送り線の影が映ることにより外観を損ねることを防止できる照明器具を提供することを目的とする。
【課題を解決するための手段】
【０００６】
本発明の照明器具は、基板上において、複数のＬＥＤ光源が、前記基板の長手方向に沿って略等間隔で直線状に配列されるＬＥＤユニットと、複数の前記ＬＥＤユニットを、前記基板の長手方向に沿って直線状に取付可能な基板固定台と、前記複数のＬＥＤユニットを電気的に接続する電源送り線と、を有し、隣接する２つの前記ＬＥＤユニットの各々における前記基板の連結側端部に、前記電源送り線が前記基板の表裏方向に移動可能な切欠が設けられ、前記基板固定台の前記基板側の面に、前記切欠に連続して前記電源送り線を配線する凹部が、前記基板固定台の長手方向に沿って設けられ、隣接する２つの前記ＬＥＤユニットの各々において、最も前記連結側端部の近くに位置するＬＥＤ光源よりも前記基板の中央に近い位置に、前記ＬＥＤユニットに電気的に接続される第１のソケットが配置され、前記電源送り線の端部には第２のソケットが接続され、前記第１のソケットと前記第２のソケットとが接続され、隣接する２つの前記ＬＥＤユニットのいずれか一方の前記第２のソケットから伸びる前記電源送り線が、前記最も前記連結側端部の近くに位置するＬＥＤ光源を避けて前記切欠に至り、前記切欠を貫通し、前記基板固定台の前記凹部を経由していずれか他方のＬＥＤユニットにおける前記第２のソケットに達し、かつ、隣接する２つの前記ＬＥＤユニットの各々における、最も前記連結側端部の近くに位置するＬＥＤ光源の間隔は、各ＬＥＤユニットにおける複数のＬＥＤ光源における間隔と略同じであるものである。
【０００８】
また、本発明の照明器具は、前記切欠が前記基板の幅方向両端縁に設けられ、前記凹部が前記基板の幅方向両端縁の内側に沿って一対設けられたものである。
【０００９】
さらに、本発明の照明器具は、前記切欠が前記基板の幅方向中央部に設けられ、前記凹部が前記基板の幅方向中央部に沿って設けられたものである。
【発明の効果】
【００１０】
本発明は、基板の連結側端部に設けられた切欠を通って、電源送り線を基板の裏面側へ移動させて配線できるので、電源送り線がＬＥＤパッケージの光を遮断したり、影が映るのを防止して、外観を損ねるのを防止できるという効果を有する照明器具を提供できる。
【図面の簡単な説明】
【００１１】
【図１】（Ａ）は本発明に係る第１実施形態の照明器具の正面図であり、（Ｂ）は照明器具を下方から見た底面図
【図２】本発明に係る第１実施形態の照明器具の断面図
【図３】（Ａ）は本発明に係る第１実施形態の照明器具におけるＬＥＤユニットの連結部近傍を示す斜視図であり、（Ｂ）は切欠の拡大図
【図４】（Ａ）は図３におけるＩＶ−ＩＶ位置の断面図であり、（Ｂ）は（Ａ）におけるＢ−Ｂ位置の断面図
【図５】本発明に係る第２実施形態の照明器具におけるＬＥＤユニットの連結部近傍を示す斜視図
【図６】図５中ＶＩ−ＶＩ位置の断面図
【発明を実施するための形態】
【００１２】
（第１実施形態）
以下、本発明に係る第１実施形態の照明器具について、図面を用いて説明する。
図１に示すように、本発明に係る第１実施形態の照明器具１０Ａは、例えば、天井面等の被取付部１１に取り付けて使用される。
照明器具１０Ａは、全体細長い矩形状のＬＥＤユニット２０Ａを長手方向に複数個連続して取り付けられ、直線状の照明光を発する。
【００１３】
図２および図３に示すように、ＬＥＤユニット２０Ａは、矩形板状の器具本体２１を有する。器具本体２１の被取付部側面である裏面２１１には、点灯電力を供給する電源装置２８が取り付けられており、被取付部１１に設けられている埋込孔１２に埋め込まれる。また、器具本体２１の表面２１２には、矩形箱状の台座２１５が取り付けられている。
器具本体２１の幅方向両端面には、それぞれ縦壁２１３，２１４が設けられており、縦壁２１３，２１４の下側には枠２３が各々取り付けられている。この枠２３の下部に設けられているカバー取付部２３１，２３２には、透光性を有する例えば樹脂製のカバー５０が取り付けられる。
【００１４】
器具本体２１の表面２１２に設けられている台座２１５の表面には、基板固定台として熱伝導性が良好な金属製の放熱シャーシ２２が取り付けられており、放熱シャーシ２２の表面には基板２４Ａが取り付けられる。基板２４Ａは、端部においてねじ２４２により放熱シャーシ２２に固定される。
【００１５】
図３（Ａ）に示すように、基板２４Ａは矩形板状の部材であり、表面２４１には、ＬＥＤパッケージ３０が長手方向に略一定間隔で直線状に実装されており、基板２４Ａの表面２４１は反射板の機能を有する。また、基板２４Ａの裏面には、回路（図示省略）が設けられており、電源装置２８に接続されて電力の供給を受ける。
ＬＥＤパッケージ３０は、光源であるＬＥＤチップ３１を板状のパッケージ基板３２上に実装し、封入樹脂（図示省略）により封止したものであり、パッケージ基板３２が基板２４Ａの表面２４１に機械的および電気的に取り付けられる。
【００１６】
隣接するＬＥＤユニット２０Ａ同士は、電源送り線２５により電気的に接続されて点灯電力を供給する。電源送り線２５は、一対の電線２５２と、電線２５２の端部に取り付けられた受けソケット２５１を有する。
従って、電源送り線２５側の受けソケット２５１と接続するためのソケット２６が、基板２４Ａの表面２４１に取り付けられる。このソケット２６は、基板２４Ａ裏面の回路に接続されている。
【００１７】
なお、隣接するＬＥＤユニット２０Ａ同士の連結部２７においても、基板２４Ａ端部のＬＥＤパッケージ３０１，３０２の間隔を他の部分の間隔とできるだけ近くするのが望ましい。
このため、隣接する基板２４Ａ上のソケット２６は、端部のＬＥＤパッケージ３０１，３０２よりもそれぞれ基板２４Ａの長手方向中央側に設けられている。
【００１８】
基板２４Ａの連結側端部には、端部のＬＥＤパッケージ３０１，３０２よりも基板２４Ａの長手方向中央側における幅方向両端部に、切欠２９Ａが設けられている。
図３（Ｂ）に示すように、切欠２９Ａは全体Ｌ字形状をしており、基板２４Ａの幅方向端面から幅方向内側に向かって設けられた出入り口２９１と、出入り口２９１の内側端から略直角に曲がって基板２４Ａの長手方向端部側へ向かう電線保持部２９２を有する。出入り口２９１の幅は電線２５２の外径よりも小さめが望ましく、電線保持部２９２の幅は電線２５２の外径と略同じでよい。これにより、電線２５２が切欠２９Ａから脱落するのを防止できる。
【００１９】
従って、図４（Ａ）に示すように、電源送り線２５の電線２５２は、受けソケット２５１側端部を基板２４Ａの表面２４１側にし、電線２５２の中央部を基板２４Ａの裏面側にして、切欠２９Ａの出入り口２９１に縦に挿入する。電線２５２を立てた状態で、出入り口２９１に沿って基板２４Ａの幅方向内側へ移動し、直角に曲がって電線保持部２９２に至って電線を保持する（図３（Ｂ）参照）。
【００２０】
図４（Ｂ）に示すように、放熱シャーシ２２の基板側面には、一対の切欠２９Ａの電線保持部２９２に連続して、放熱シャーシ２２の長手方向に沿って電源送り線２５を配線する凹部２２１が一対設けられている。
このため、電線保持部２９２を基板２４Ａの裏面側へ貫通する電源送り線２５の一対の電線２５２は、凹部２２１内部を通って、隣接するＬＥＤユニット２０Ａに配線される。これにより、端部のＬＥＤパッケージ３０１，３０２および基板２４Ａを取り付けるねじ２４２を回避している。
【００２１】
次に、照明器具１０Ａの取り付け作業について説明する。
まず、被取付部１１に、ＬＥＤユニット２０Ａの器具本体２１を取り付ける。このとき、ＬＥＤユニット２０Ａを複数個、直線状に連結する場合には、器具本体２１を直線状に複数個連結して取り付ける。
【００２２】
次いで、器具本体２１の台座２１５に取り付けられている放熱シャーシ２２に、基板２４Ａを取り付ける。この際、連結部２７においては、電源送り線２５の電線２５２を、受けソケット２５１側端部を基板２４Ａの表面２４１側にして立てた状態で基板２４Ａの切欠２９Ａに挿入し、電線２５２を放熱シャーシ２２の凹部２２１に収容した後に、ねじ２４２を締めて基板２４Ａを固定する。
【００２３】
隣接する基板２４Ａについても同様に、凹部２２１を通って電源送り線２５を配線した後、電源送り線２５の受けソケット２５１を基板２４Ａのソケット２６に接続する。
最後に、カバー５０を器具本体２１の枠２３１，２３２に取り付ける。
【００２４】
以上、説明した本発明に係る第１実施形態の照明器具１０Ａによれば、基板２４Ａ上にＬＥＤパッケージ３０を直線状に配列したＬＥＤユニット２０Ａを、放熱シャーシ２２に長手方向に連続して取り付け、電源送り線２５により電気的に連続させる際に、基板２４Ａの連結側端部に設けられた切欠２９Ａを通って電源送り線２５を基板２４Ａの裏面側へ移動させて配線できるので、電源送り線２５がＬＥＤパッケージ３０の光を遮断したり、影が映るのを防止して、外観を損ねるのを防止できる。
【００２５】
また、切欠２９Ａを通って基板２４Ａの裏面側に配線された電源送り線２５は、切欠２９Ａに連続して放熱シャーシ２２の基板側面設けられた凹部２２１を通って配線されるので、電源送り線２５がＬＥＤパッケージ３０の光を遮断したり、影が映るのを防止して、外観を損ねるのを防止できる。
【００２６】
また、電源送り線２５は、基板２４Ａの幅方向両端縁に設けられた切欠２９Ａを通って基板２４Ａの裏面側へ配線され、基板２４Ａの幅方向両端縁の内側に沿って放熱シャーシ２２に設けられた一対の凹部２２１、２２１を通って配線されるので、電源送り線２５がＬＥＤパッケージ３０の光を遮断したり、影が映るのを防止して、外観を損ねるのを防止できる。
【００２７】
（第２実施形態）
次に、本発明に係る第２実施形態の照明器具１０Ｂについて、図面を用いて説明する。
なお、前述した第１実施形態にかかる照明器具１０Ａと共通する部位には同じ符号を付して、重複する説明を省略することとする。
【００２８】
図５および図６に示すように、本発明に係る第２実施形態の照明器具１０Ｂでは、基板２４Ｂの表面２４１に、幅方向両端部付近に沿ってＬＥＤパッケージ３０が２列設けられている。
【００２９】
基板２４Ｂの連結部２７側端部の幅方向中央には、電源送り線２５が貫通するための、例えば楕円形や矩形の切欠２９Ｂが設けられている。また、この切欠２９Ｂに対応して、放熱シャーシ２２の基板側面には、長手方向に沿って１本の凹部２２２が設けられている（図６参照）。
これにより、電源送り線２５は、隣接する基板２４Ｂの裏面側の凹部２２２を通って、ソケット２６、２６間を略直線的に配線される。
【００３０】
以上、説明した本発明に係る第２実施形態の照明器具１０Ｂによれば、、電源送り線２５は、基板２４Ｂの幅方向中央部に設けられた切欠２９Ｂを通って基板２４Ｂの裏面側へ配線され、基板２４Ｂの幅方向中央部に沿って放熱シャーシ２２に設けられた凹部２２２を通って配線されるので、電源送り線２５がＬＥＤパッケージ３０の光を遮断したり、影が映るのを防止して、外観を損ねるのを防止できる。
【００３１】
なお、本発明の照明器具１０Ａ、１０Ｂは、前述した各実施形態に限定されるものでなく、適宜な変形，改良等が可能である。
例えば、前述した各実施形態においては、ＬＥＤユニット２０Ａ、２０Ｂとして基板２４Ａ、２４Ｂ上にＬＥＤパッケージ３０のみを設けた場合を例示したが、ＬＥＤパッケージ３０の前方に反射板を設けることも可能である。
【符号の説明】
【００３２】
１０Ａ、１０Ｂ  照明器具
２０Ａ、２０Ｂ  ＬＥＤユニット
２２  放熱シャーシ（基板固定台）
２２１、２２２  凹部
２４Ａ、２４Ｂ  基板
２５  電源送り線
２７  連結部
２９Ａ、２９Ｂ  切欠
３０  ＬＥＤパッケージ
【図１】
0005565955.tif 000002
【図２】
0005565955.tif 000003
【図３】
0005565955.tif 000004
【図４】
0005565955.tif 000005
【図５】
0005565955.tif 000006
【図６】
0005565955.tif 000007